(57)【特許請求の範囲】
【請求項１】
貯蔵庫本体の天井壁に開口部が形成されて、この開口部を塞ぐようにして冷凍ユニットを載置したユニット台が装着され、このユニット台の下方に冷却器が収容された冷却器室が形成されるとともに、前記ユニット台と前記開口部の口縁との間にパッキンが介設されたものであって、
前記ユニット台の下面が、中央部側から周縁に向けて下り勾配となった傾斜状に形成されて、その周縁に前記パッキンの内方を覆う下向きの突部が形成され、かつ、前記冷却器等からの除霜水等を受けるべく前記冷却器室内に設けられるドレンパンが、前記ユニット台における前記下向きの突部の下方に位置して配されていることを特徴とする冷却貯蔵庫。
【発明の詳細な説明】
【０００１】
【発明の属する技術分野】
本発明は冷却貯蔵庫に関し、特に冷凍ユニットを載置したユニット台の装着部分の構造の改良に関する。
【０００２】
【従来の技術】
従来業務用の冷蔵庫の一例として、次のようなものが知られている。このものは、冷蔵庫本体の天井壁に開口部が形成されて、この開口部を塞ぐようにして圧縮機、凝縮器等からなる冷凍ユニットを載置した断熱性のユニット台が装着されるとともに、ユニット台の下方に冷却器が収容された冷却器室が形成され、冷却器と冷凍ユニットとを冷媒配管で循環接続した構造であって、冷凍ユニットと冷却ファンを駆動することにより、冷却器付近で生成された冷気を庫内に循環供給して庫内を冷却するようになっている。
このような冷蔵庫は、例えば特開昭６３−４６３６３号に開示されている。
【０００３】
【発明が解決しようとする課題】
ところでこの種の冷蔵庫では、冷却能力を維持するために適宜に除霜運転が行われ、ヒータ等により冷却器に付着した霜を融かして、除霜水をドレンパンで受けて排出するようになっている。
一方、冷却器室の天井を構成することになるユニット台の下面にも少なからず霜や結露水が付着し、霜については上記の除霜運転時に融かされるのであるが、結露水を含めて水滴状になったとしても、旨く落下できずに残ってしまうおそれがある。そうすると、冷却運転が再開された場合に氷結し、これが繰り返されると氷柱が次第に成長して、冷却ファンのモータ等と干渉する事態を招くおそれがある。また、氷柱が一旦成長すると、これを完全に除去するには、多大な手間と時間とが必要になるという問題があった。
本発明は上記のような事情に基づいて完成されたものであって、その目的は、ユニット台の下面に付着した水分をスームズに排出できるようにするところにある。
【０００４】
【課題を解決するための手段】
請求項１の発明の冷却貯蔵庫は、貯蔵庫本体の天井壁に開口部が形成されて、この開口部を塞ぐようにして冷凍ユニットを載置したユニット台が装着され、このユニット台の下方に冷却器が収容された冷却器室が形成されるとともに、前記ユニット台と前記開口部の口縁との間にパッキンが介設されたものであって、前記ユニット台の下面が、中央部側から周縁に向けて下り勾配となった傾斜状に形成されて、その周縁に前記パッキンの内方を覆う下向きの突部が形成され、かつ、前記冷却器等からの除霜水等を受けるべく前記冷却器室内に設けられるドレンパンが、前記ユニット台における前記下向きの突部の下方に位置して配されているところに特徴を有する。
【０００５】
【発明の作用及び効果】
＜請求項１の発明＞
ユニット台の下面に付着した結露水や除霜水等の水分は、その下面の傾斜に倣って周縁に流下し、下向きの突部からドレンパン上に滴下して排出される。ユニット台の下面に水分が残らないから、そこで氷結しひいては氷柱が生成されることが防止される。その結果、氷柱が冷却器室内に配されたモータ等の部材と干渉することが防止され、また必要以上に長い除霜運転を行うことも回避できる。
それに加え、冷却運転中には、突部によって冷気が直接にパッキンに当たることが阻止される。そのため、パッキンの劣化に起因した断熱性能の低下が防止され、またパッキンの外表面側に結露することも防がれる。
【０００６】
【発明の実施の形態】
以下、本発明の一実施形態を図１ないし図８に基づいて説明する。この実施形態では、業務用の冷蔵庫を例示している。
図１ないし図３において、符号１０は断熱箱体からなる冷蔵庫本体であって、その上面には、四隅にフレーム１１が立てられることで機械室１２が構成されている。
冷蔵庫本体１０の天井壁１３の中央部には方形の開口部１４が形成され、この開口部１４の上面を塞ぐようにして、詳しくは後記する冷凍ユニット５０を載置したユニット台２０が設置されている。一方、開口部１４の前方側（図２の左側）における下側の口縁の位置から、奥壁に向かって、冷却ダクトを兼ねたドレンパン１６が下り勾配で張設されており、ユニット台２０との間に冷却器室１７が構成されている。
【０００７】
ユニット台２０は断熱性であって、大まかには、外装板２１と、内装板２２と、両板２１，２２間に充填された断熱材２３とから構成されている。
外装板２１は金属板製であって、図４及び図５にも示すように、開口部１４よりも一回り大きい方形の浅い箱を伏せたような形状に形成されており、その上面には、圧縮機５１、凝縮器５２等の取付凹部２５、冷媒配管５６とリード線の挿通孔２６，２７が形成されているとともに、左右の側板４４の下縁からは、取付板２８が外方に張り出して形成されている。
【０００８】
内装板２２は合成樹脂材により一体成形されており、全体としては、周縁にフランジ３０を設けた方形の浅皿状に形成され、ユニット台２０の下面を構成すべく、外装板２１の下面の開口に緊密に嵌合可能とされている。
内装板２２の底板３１は傾斜状に形成されている。詳細には、図５及び図６に示すように、前後方向の中心よりも少し前方の位置を頂点３２として、前後両側に緩やかな下り勾配となった断面山形に形成されている。後側の傾斜面３３Ａでは、その裾の部分で一旦登り、その後側に、急勾配の断面山形をなす下向きの突条部３４Ａが全幅にわたって形成されている。一方、前側の傾斜面３３Ｂでは、裾の部分が水平に形成され、その前側に、急勾配の断面山形をなす下向きの突条部３４Ｂが同じく全幅にわたって形成されている。
両突条部３４Ａ，３４Ｂとも、その突出端が底板３１の周縁よりも下方に突出しており、後記するようにユニット台２０が開口部１４の上面に設置された場合に、両突条部３４Ａ，３４Ｂが開口部１４の前後の口縁の内側に嵌まるようになっている。
【０００９】
内装板２２のフランジ３０や底板３１からは、適宜にスペーサ３５が立てられており、内装板２２が外装板２１の下面の開口に嵌合された場合に、スペーサ３５の突出端が外装板２１の上面に突き当たることで、両板２１，２２間に所定のスペースが確保されるようなっている。
内装板２２の底板３１の上面には、冷媒配管５６とリード線の挿通筒３６，３７が突設され、上記のように内装板２２が正規位置に嵌められた場合に、外装板２１における冷媒配管５６とリード線の挿通孔２６，２７と整合するようになっている。また、底板３１の後側の傾斜面３３Ａにおける左右の側縁には、冷却器５５の取付用のナット３９がインサート成形により埋設されている。
【００１０】
内装板２２の底部側の外周には、パッキン４０が装着されるようになっている。このパッキン４０は詳細には、真直な４本のパッキン４０からなり、４５度に切断された端部同士を突き合わせつつ、全体として方形の環状に配されるようになっている。また、パッキン４０は断面が略Ｌ字形に形成され、その縦向きの部分４１が、外装板２１の側板４４と内装板２２の側板４５との間で挟まれ、一方横向きの部分４２が、内装板２２の底板３１の周縁と、開口部１４の上側の口縁との間で挟まれるようになっている。
【００１１】
ユニット台２０を形成する場合は、外装板２１の下面の開口に、スペーサ３５が突き当たるまで内装板２２が嵌められるとともに、外装板２１の側板４４と内装板２２の側板４５との間にパッキン４０が装着され、両板２１，２２の間がシールされる。そして、外装板２１の側板４４に開口された注入口（図示せず）から、両板２１，２２の間に形成されたスペースに発泡ウレタン樹脂からなる断熱材２３が注出され、発泡して充填される。これによりユニット台２０が完成され、冷媒配管５６用の挿通孔２６と挿通筒３６、リード線用の挿通孔２７と挿通筒３７がそれぞれ整合した状態となる。
【００１２】
このユニット台２０の上面には冷凍ユニット５０が載置され、例えば、奥側のほぼ中央部に圧縮機５１が、正面から見た左側の前端位置に凝縮器５２とその後方に凝縮器ファン５３が取り付けられる。このように、冷凍ユニット５０を載置したユニット台２０が、所定の向きで開口部１４を塞ぐようにしてその上面に載置され、外装板２１に設けられた取付板２８を開口部１４の上側の口縁にあててねじ止めすることで固定される。
このとき、図７，８に示すように、パッキン４０の横向きの部分４２が、内装板２２の底板３１の周縁と、開口部１４の上側の口縁との間で全周にわたって弾縮され、ユニット台２０と上記したドレンパン１６との間に、外気とは断熱された冷却器室１７が構成される。また、ユニット台２０を取り付けることに伴って、内装板２２に設けた前後の突条部３４Ａ，３４Ｂが開口部１４内に嵌まり、これらの両突条部３４Ａ，３４Ｂが、ドレンパン１６の上方位置、すなわちドレンパン１６の受け範囲内に収まるようになっている。
【００１３】
一方、ユニット台２０の内装板２２の底板３１における後側の傾斜面３３Ａには、取付ナット３９を利用して、冷却器５５が吊り下げ状に取り付けられるようになっている。したがって、上記のようにユニット台２０を設置することに伴い、冷却器室１７内には、図２に示すように、冷却器５５が斜め姿勢を取って、ドレンパン１６から若干浮いた状態で収容されるようになっている。
この冷却器５５と、ユニット台２０上の冷凍ユニット５０とが、挿通筒３６、挿通孔２６に通した冷媒配管５６によって循環接続され、周知の冷凍サイクルが構成されている。
【００１４】
ドレンパン１６の上部側には、複数の通孔５８が開口された吸込部５９が設けられ、この吸込部５９に、モータ６１により駆動される冷却ファン６０が装備されている。モータ６１のリード線は、挿通筒３７、挿通孔２７を通して機械室１２側に引き出される。
また、ドレンパン１６の下部側では、側板の上端部が切り欠かれることで吐出口６３が形成されているとともに、排水管６５が突設されて、奥壁に形成された排水路６６に臨んでいる。
【００１５】
本実施形態は上記のような構造であって、続いてその作用を説明する。
冷却運転時において、圧縮機５１と冷却ファン６０とが駆動されると、図７の矢線に示すように、冷蔵室１０Ａ内の空気が冷却器室１７内に吸引され、冷却器５５を通過する間に熱交換されて冷気が生成され、この冷気が図８の矢線に示すように、吐出口６３から冷蔵室１０Ａ内に吹き出されるといったように循環されることで、冷蔵室１０Ａ内が冷却される。
【００１６】
このとき、特に冷却器５５の後方には、熱交換された直後の低温の冷気が吹き出され、その一部が、ユニット台２０と開口部１４の上側の口縁との間に介装されたパッキン４０に向かうが、図８に示すように、パッキン４０の内方が、ユニット台２０の内装板２２に突設された後側の突条部３４Ａで遮られているから、冷気がパッキン４０に直接に当たることが避けられる。そのため、パッキン４０の劣化に起因した断熱性能の低下が防止され、またパッキン４０の縦向きの部分４１の外表面や、さらには外装板２１の側板４４の外表面に結露することも防がれる。
また、前側のパッキン４０も、その内方が前側の突条部３４Ｂで遮られているから、冷気（吸引された庫内空気）が直接に当たり難い。
【００１７】
除霜運転は、冷却器５５に装備されたヒータ（図示せず）で加熱することによって行われる。除霜運転時では主に冷却器５５に付着した霜を融かし、除霜水をドレンパン１６で受けて排水路６６から機外に排出するようになっている。
一方、冷却器室１７の天井を構成しているユニット台２０の内装板２２にも少なからず霜が付着し、この霜も除霜運転時に融かされるのであるが、内装板２２の底板３１が山形に形成されているから、除霜水は傾斜面３３Ａ，３３Ｂに倣って前後両側に流下し、図８に示すように、より傾斜が急になった突条部３４Ａ，３４Ｂからドレンパン１６上に滴下し、同様に排水路６６から排出される。
なお、冷却運転中等に内装板２２に露付きが生じた場合も、結露水は内装板２２の底板３１の傾斜面３３Ａ，３３Ｂに倣って前後両側に流下し、同じく突条部３４Ａ，３４Ｂからドレンパン１６上に滴下して排出される。
【００１８】
以上説明したように本実施形態によれば、ユニット台２０の下面である内装板２２に付着した結露水や除霜水等の水分は、底板３１の傾斜に倣って流下しつつ突条部３４Ａ，３４Ｂからドレンパン１６上に滴下して排出され、言い換えると、ユニット台２０の下面に水分が残らないから、そこで氷結しひいては氷柱が生成されることが防止される。その結果、氷柱が冷却器室１７内に配された冷却ファン６０のモータ６１等の部材と干渉するといったことが未然に防止される。また、氷柱を除去すべく必要以上に長い除霜運転を行うことも回避でき、冷蔵室１０Ａに貯蔵された食品への悪影響も小さく抑え、また消費電力の低下も図ることができる。
【００１９】
それに加えて冷却運転中には、突条部３４Ａ，３４Ｂにより冷気が直接にパッキン４０に当たるのが阻止されるから、パッキン４０の劣化に起因した断熱性能の低下が防がれ、またパッキン４０の外表面等に結露することも防がれる。
また、突条部３４Ａ，３４Ｂを設けたことは内装板２２の補強に有効であり、さらに突条部３４Ａ，３４Ｂは、ユニット台２０を開口部１４の上面に設置する場合の位置決めとして利用することができ、設置作業を能率良く行うことが可能となる。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ドレンパンは、冷却器室を冷蔵室から区画形成する冷気ダクトとは別に設けてもよい。
【図面の簡単な説明】
【図１】  本発明の一実施形態に係る機械室の概略平面図
【図２】  機械室付近の縦断面図
【図３】  その分解縦断面図
【図４】  ユニット台の平面図
【図５】  図４のＸ−Ｘ線で切断した拡大分解断面図
【図６】  内装板の斜視図
【図７】  冷却器室の入口側の拡大断面図
【図８】  冷却器室の出口側の拡大断面図
【符号の説明】
１０…冷蔵庫本体  １３…天井壁  １４…開口部  １６…ドレンパン  １７…冷却器室  ２０…ユニット台  ２１…外装板  ２２…内装板  ２３…断熱材  ３１…底板  ３２…頂点  ３３Ａ，３３Ｂ…傾斜面  ３４Ａ，３４Ｂ…突条部（最低位部）  ４０…パッキン  ５０…冷凍ユニット  ５５…冷却器  ５６…冷媒配管
【図１】
0003978041.tif 000002
【図２】
0003978041.tif 000003
【図３】
0003978041.tif 000004
【図４】
0003978041.tif 000005
【図５】
0003978041.tif 000006
【図６】
0003978041.tif 000007
【図７】
0003978041.tif 000008
【図８】
0003978041.tif 000009